(57)【要約】【課題】ユーザが端末本体部を把持して傾けた状態で、かつ、表示部の向きを変更して使用する場合にも、常に衛星電波受信アンテナの指向性を略天頂方向に向けることが可能な携帯端末を提供する。【解決手段】この携帯通信端末１００（携帯端末）は、上側本体部１０に設けられ、表示方向を切替可能に構成された表示部２０と、第１受信方向Ｄａ１に指向性を有するＧＰＳアンテナ２３と、第２受信方向Ｄａ２に指向性を有するＧＰＳアンテナ２４と、ＧＰＳアンテナ２３とＧＰＳアンテナ２４とを選択するＣＰＵ４１とを備え、第１表示方向Ｄ１を上方向として表示部２０が傾けられて保持される場合に、ＧＰＳアンテナ２３の第１受信方向Ｄａ１が略天頂方向を向くとともに、第２表示方向Ｄ２を上方向として表示部２０が傾けられて保持される場合に、ＧＰＳアンテナ２４の第２受信方向Ｄａ２が略天頂方向を向くように構成されている。【選択図】図１
2010109522.tif 000002
【特許請求の範囲】
【請求項１】
端末本体部と、
前記端末本体部に設けられ、第１表示方向と前記第１表示方向とは異なる第２表示方向とに表示方向を切替可能に構成された表示画面部を含む表示部と、
前記第１表示方向から前記表示部の表示面に対して所定の角度傾斜した第１受信方向に指向性の方向が設定された単一指向性を有する第１衛星電波受信アンテナと、
前記第２表示方向から前記表示部の表示面に対して所定の角度傾斜した第２受信方向に指向性の方向が設定された単一指向性を有する第２衛星電波受信アンテナと、
前記表示画面部の表示方向が前記第１表示方向の場合に前記第１衛星電波受信アンテナを選択し、前記表示画面部の表示方向が前記第２表示方向の場合に前記第２衛星電波受信アンテナを選択するように構成された制御部とを備え、
前記端末本体部の使用時に、前記第１表示方向を上方向として前記表示部の表示面が水平方向に対して斜めに傾けられて保持される場合に、前記第１衛星電波受信アンテナの第１受信方向が略天頂方向を向くとともに、前記第２表示方向を上方向として前記表示部の表示面が水平方向に対して斜めに傾けられて保持される場合に、前記第２衛星電波受信アンテナの第２受信方向が略天頂方向を向くように構成されている、携帯端末。
【請求項２】
前記制御部は、前記表示画面部の表示方向を前記第１表示方向と前記第２表示方向とに切り替える表示方向の切替信号を出力するように構成され、
前記第１衛星電波受信アンテナと前記第２衛星電波受信アンテナとは、前記制御部から出力される前記切替信号に基づいて選択されるように構成されている、請求項１に記載の携帯端末。
【請求項３】
前記第１衛星電波受信アンテナおよび前記第２衛星電波受信アンテナの両方に接続された選択スイッチをさらに備え、
前記選択スイッチは、前記表示画面部の表示方向を前記第１表示方向に切り替える前記切替信号に基づいて前記第１衛星電波受信アンテナを選択するとともに、前記表示画面部の表示方向を前記第２表示方向に切り替える前記切替信号に基づいて前記第２衛星電波受信アンテナを選択するように構成されている、請求項２に記載の携帯端末。
【請求項４】
前記切替信号は、第１切替信号と第２切替信号とを含み、
前記第１表示方向が上方向となる第１表示位置と、前記第２表示方向が上方向となる第２表示位置とに前記表示部を回動させる軸部と、
前記軸部による前記表示部の回動を検出する回動検出部とをさらに備え、
前記制御部は、前記回動検出部の検出信号に基づいて、前記表示部が前記第１表示位置に位置する場合に前記表示画面部の表示方向を前記第１表示方向に切り替える前記第１切替信号を出力するとともに、前記表示部が前記第２表示位置に位置する場合に前記表示画面部の表示方向を前記第２表示方向に切り替える前記第２切替信号を出力するように構成され、
前記第１切替信号および前記第２切替信号に基づいて、それぞれ、前記第１衛星電波受信アンテナと前記第２衛星電波受信アンテナとが選択されるように構成されている、請求項２または３に記載の携帯端末。
【請求項５】
前記切替信号は、第１切替信号と第２切替信号とを含み、
前記端末本体部の傾きを検出することにより前記表示部の上方向を検出する傾き検出部をさらに備え、
前記制御部は、前記傾き検出部の検出信号に基づいて、前記表示部の上方向が前記表示画面部の第１表示方向に略一致する場合には前記表示画面部の表示方向を前記第１表示方向に切り替える前記第１切替信号を出力するとともに、前記表示部の上方向が前記表示画面部の第２表示方向に略一致する場合には前記表示画面部の表示方向を前記第２表示方向に切り替える前記第２切替信号を出力するように構成され、
前記第１切替信号および前記第２切替信号に基づいて、それぞれ、前記第１衛星電波受信アンテナと前記第２衛星電波受信アンテナとが選択されるように構成されている、請求項２または３に記載の携帯端末。
【請求項６】
前記表示部の表示面に対する前記第１衛星電波受信アンテナの第１受信方向および前記第２衛星電波受信アンテナの第２受信方向の所定の角度は、３０度以上６０度以下の角度を有する、請求項１〜５のいずれか１項に記載の携帯端末。
【請求項７】
前記表示画面部は、平面的に見て長方形状を有し、
前記第１表示方向は前記表示画面部の長手方向を上方向とするように設定されるとともに、前記第２表示方向は前記表示画面部の短手方向を上方向とするように設定され、
前記第１衛星電波受信アンテナは、前記表示部において、前記表示画面部の第１表示方向側に設けられているとともに、
前記第２衛星電波受信アンテナは、前記表示部において、前記表示画面部の第２表示方向側に設けられている、請求項１〜６のいずれか１項に記載の携帯端末。
【発明の詳細な説明】
【技術分野】
【０００１】
この発明は、携帯端末に関し、特に、アンテナを備えた携帯端末に関する。
【背景技術】
【０００２】
従来、アンテナを備えた携帯端末が知られている（たとえば、特許文献１〜４参照）。
【０００３】
上記特許文献１には、表示部が設けられた板状の上側筐体と、操作ボタンなどが設けられた板状の下側筐体と、上側筐体および下側筐体の間に設けられた中間筐体と、中間筐体内部に設けられた円偏波特性を有するＧＰＳ（Ｇｌｏｂａｌ  Ｐｏｓｉｔｉｏｎｉｎｇ  Ｓｙｓｔｅｍ）受信用のパッチアンテナとを備えた折畳式携帯無線装置（携帯端末）が開示されている。この折畳式携帯無線装置は、上側筐体が中間筐体を介して、下側筐体に対して水平面内で回動（旋回）可能に構成することにより、下側筐体の向きを変えることなく上側筐体の表示部を縦横に変更して使用することができるように構成されている。また、中間筐体に設けられたパッチアンテナは、下側筐体を水平面上に置いた場合に、天頂方向（ＧＰＳ衛星側）に指向性を有するように構成されている。これにより、上記特許文献１による折畳式携帯無線装置では、上側筐体とともに水平面内で旋回可能な中間筐体にパッチアンテナを設けることによって、水平面上に配置した状態で上側筐体を回動させ水平面内で表示部を縦横に変更する場合にも、中間筐体（パッチアンテナ）の回動によって指向性の方向が変わることなく、指向性を天頂方向に向けることができるように構成されている。
【０００４】
上記特許文献２には、上側筐体および下側筐体と、直線偏波（水平偏波）の衛星電波受信アンテナと、直線偏波（垂直偏波）の通信アンテナとを備え、衛星電波受信アンテナの偏波面と通信アンテナの偏波面（垂直偏波および水平偏波）とが互いに直交するように構成された、測位装置（携帯端末）が開示されている。この衛星電波受信アンテナは、上下方向（鉛直方向）に延びる指向性を有し、鉛直方向と直交するアンテナの延びる軸方向からの電波は受信しにくくなるように構成されている。この衛星電波受信アンテナと通信アンテナとは、偏波面が直交するため、通信アンテナから送受信される電波を衛星電波受信アンテナが受信するのを抑制している。
【０００５】
また、上記特許文献３には、筐体と、筐体の対向する両側面にそれぞれ設けられた第１の逆Ｆ型アンテナおよび第２の逆Ｆ型アンテナと、筐体の傾きを検出する検出器と、第１および第２の逆Ｆ型アンテナの一方から他方への接続切替を行う高周波信号切替器と、第１および第２の逆Ｆ型アンテナの設けられた側面と直交する方向の側面（前面）に設けられた受話器および送話器とを備えたアンテナ切替形携帯無線機（携帯端末）が開示されている。ユーザが受話器に耳を当て送話器を口元に近づけた状態の通話時においては、携帯無線機（筐体）が大きく傾くことになる。このため、このアンテナ切替形携帯無線機は、検出部がアンテナ切替形携帯無線機の傾きを検出し、検出部からの出力に基づいて高周波信号切替器が、筐体の対向する両側面にそれぞれ設けられた第１および第２の逆Ｆ型アンテナのうち、上方（鉛直方向上方）側に位置する逆Ｆ型アンテナと接続して電波の送受信を行うように構成されている。なお、上記特許文献３によるアンテナ切替形携帯無線機には、画像などを表示するための表示部は開示されていない。
【０００６】
また、上記特許文献４には、筐体と、文字情報を表示する表示部と、複数のアンテナと、複数のアンテナから受信感度のよいアンテナを選択して切り替えるアンテナダイバーシティ通信を行うための選択部と、各アンテナに接続される受信部とを備えた携帯型無線通信機（携帯端末）が開示されている。この携帯型無線通信機では、複数のアンテナのそれぞれを、別個に設けられた回路基板またはグランドパターンに接続するなどにより、複数のアンテナの放射特性の相関が互いに小さくなるように構成されている。なお、上記特許文献４による携帯型無線通信機では、表示部を縦横に変更して使用する構成は開示されていない。
【０００７】
【特許文献１】特開２００７−１６６５３３号公報
【特許文献２】特開２００６−１４５３１４号公報
【特許文献３】特開昭６１−２００７０２号公報
【特許文献４】特開平３−２８０６２５号公報
【発明の開示】
【発明が解決しようとする課題】
【０００８】
しかしながら、上記特許文献１に記載の折畳式携帯無線装置では、中間筐体に設けられたパッチアンテナが、下側筐体を水平面上に置いた状態で天頂方向に指向性を有するように構成されている一方、ＧＰＳによる位置情報の表示機能（ＧＰＳ機能）を使用する場合には、ユーザが表示部を見ながら操作を行う必要がある。このため、ユーザが下側筐体を把持し、表示部を見やすい角度に傾けて保持した状態で使用する場合には、パッチアンテナの指向性が天頂方向（ＧＰＳ衛星側）ではなくユーザの方向に向いてしまうので、ユーザが装置を把持して使用する場合にはパッチアンテナの指向性を天頂方向に向けることができないという問題点がある。
【０００９】
また、上記特許文献２に記載の測位装置では、衛星電波受信アンテナが上下方向（重力方向）に延びる指向性を有し、重力方向と直交するアンテナの延びる軸方向からの電波は受信しにくくなるように構成されているため、筐体を回動して装置自体の向きを横向きにして傾けた場合には、衛星電波受信アンテナの指向性が横方向に傾いて衛星電波受信アンテナの延びる軸方向から衛星電波が入ることになり、衛星電波が受信しにくくなるという不都合がある。このため、測位装置の向きを変更して使用する場合には、衛星電波受信アンテナの指向性の方向を天頂方向に向けることができないという問題点がある。
【００１０】
また、上記特許文献３に記載のアンテナ切替形携帯無線機では、筐体の対向する両側面の２つの逆Ｆ型アンテナのうち、上方側に位置する逆Ｆ型アンテナにより電波の送受信を行うように構成されている一方、ＧＰＳによる衛星電波を受信する場合には、アンテナの指向性を天頂方向に向ける必要がある。また、装置に表示部を設けるとともに表示部の向きを縦横に変更可能に構成した場合には、表示部の向きに応じて装置自体を縦横に持ち替える場合がある。このため、上方側に位置するアンテナを選択しても、表示部の向きが変更される場合には、アンテナの指向性を天頂方向に向けることができないという問題点がある。
【００１１】
また、上記特許文献４に記載の携帯型無線通信機では、複数のアンテナから受信感度のよいアンテナを選択して切り替えるアンテナダイバーシティ通信を行う一方、ＧＰＳによる衛星電波を受信する場合には、アンテナの指向性を天頂方向に向ける必要がある。また、表示部の向きを縦横に変更可能に構成した場合には、表示部の向きに応じて装置自体を縦横に持ち替える場合がある。このため、アンテナダイバーシティ通信を行っても、表示部の向きが変更される場合には、複数のアンテナのうち少なくとも１つのアンテナの指向性を、常に天頂方向に向けることが困難であるという問題点がある。
【００１２】
この発明は、上記のような課題を解決するためになされたものであり、この発明の１つの目的は、ユーザが端末本体部を把持して傾けた状態で、かつ、表示部の向きを変更して使用する場合にも、常に衛星電波受信アンテナの指向性を略天頂方向に向けることが可能な携帯端末を提供することである。
【課題を解決するための手段および発明の効果】
【００１３】
この発明の第１の局面による携帯端末は、端末本体部と、端末本体部に設けられ、第１表示方向と第１表示方向とは異なる第２表示方向とに表示方向を切替可能に構成された表示画面部を含む表示部と、第１表示方向から表示部の表示面に対して所定の角度傾斜した第１受信方向に指向性の方向が設定された単一指向性を有する第１衛星電波受信アンテナと、第２表示方向から表示部の表示面に対して所定の角度傾斜した第２受信方向に指向性の方向が設定された単一指向性を有する第２衛星電波受信アンテナと、表示画面部の表示方向が第１表示方向の場合に第１衛星電波受信アンテナを選択し、表示画面部の表示方向が第２表示方向の場合に第２衛星電波受信アンテナを選択するように構成された制御部とを備え、端末本体部の使用時に、第１表示方向を上方向として表示部の表示面が水平方向に対して斜めに傾けられて保持される場合に、第１衛星電波受信アンテナの第１受信方向が略天頂方向を向くとともに、第２表示方向を上方向として表示部の表示面が水平方向に対して斜めに傾けられて保持される場合に、第２衛星電波受信アンテナの第２受信方向が略天頂方向を向くように構成されている。なお、本発明において、「略天頂方向」とは、天頂方向（鉛直上方）のみならず、天頂方向からずれた方向も含む概念である。
【００１４】
この第１の局面による携帯端末では、上記のように、表示画面部の表示方向が第１表示方向の場合に第１衛星電波受信アンテナを選択し、表示画面部の表示方向が第２表示方向の場合に第２衛星電波受信アンテナを選択するように構成された制御部を備え、端末本体部の使用時に、第１表示方向を上方向として表示部の表示面が水平方向に対して斜めに傾けられて保持される場合に、第１衛星電波受信アンテナの第１受信方向が略天頂方向を向くとともに、第２表示方向を上方向として表示部の表示面が水平方向に対して斜めに傾けられて保持される場合に、第２衛星電波受信アンテナの第２受信方向が略天頂方向を向くように構成することによって、ユーザが表示部の表示方向（第１表示方向または第２表示方向）を変更し、かつ、視認性の観点から表示面を水平方向に対して傾けた状態で端末本体部を保持した場合にも、表示画面部の第１表示方向が上方向となる場合には第１受信方向の指向性が略天頂方向を向く第１衛星電波受信アンテナが制御部により選択され、第２表示方向が上方向となる場合には第２受信方向の指向性が略天頂方向を向く第２衛星電波受信アンテナが制御部により選択される。これにより、表示部の向きを第１表示方向または第２表示方向のいずれの方向に変更して使用する場合にも、常に衛星電波受信アンテナの指向性を略天頂方向に向けることができる。
【００１５】
上記第１の局面による携帯端末において、好ましくは、制御部は、表示画面部の表示方向を第１表示方向と第２表示方向とに切り替える表示方向の切替信号を出力するように構成され、第１衛星電波受信アンテナと第２衛星電波受信アンテナとは、制御部から出力される切替信号に基づいて選択されるように構成されている。このように構成すれば、表示方向を第１表示方向と第２表示方向とに切り替える表示方向の切替信号に基づいて、第１衛星電波受信アンテナと第２衛星電波受信アンテナとが選択されるので、表示方向を第１表示方向と第２表示方向とに切り替える切替信号と、表示方向に応じて指向性が略天頂方向を向く第１衛星電波受信アンテナまたは第２衛星電波受信アンテナを選択する信号とを共通化することができる。これにより、表示方向を切り替える切替信号と、衛星電波受信アンテナを選択する信号とを別個に生成および出力する必要がないので、携帯端末の回路構成を簡素化することができる。
【００１６】
この場合において、好ましくは、第１衛星電波受信アンテナおよび第２衛星電波受信アンテナの両方に接続された選択スイッチをさらに備え、選択スイッチは、表示画面部の表示方向を第１表示方向に切り替える切替信号に基づいて第１衛星電波受信アンテナを選択するとともに、表示画面部の表示方向を第２表示方向に切り替える切替信号に基づいて第２衛星電波受信アンテナを選択するように構成されている。このように構成すれば、選択スイッチによって、第１表示方向に切り替える切替信号に基づいて第１衛星電波受信アンテナが選択され、第２表示方向に切り替える切替信号に基づいて第２衛星電波受信アンテナが選択される。これにより、衛星電波受信アンテナごとに受信部や受信レベルを比較する比較部を設けることなく、１つの選択スイッチのみにより、指向性が略天頂方向を向く衛星電波受信アンテナを選択することができる。
【００１７】
上記制御部が表示方向の切替信号を出力する構成において、好ましくは、切替信号は、第１切替信号と第２切替信号とを含み、第１表示方向が上方向となる第１表示位置と、第２表示方向が上方向となる第２表示位置とに表示部を回動させる軸部と、軸部による表示部の回動を検出する回動検出部とをさらに備え、制御部は、回動検出部の検出信号に基づいて、表示部が第１表示位置に位置する場合に表示画面部の表示方向を第１表示方向に切り替える第１切替信号を出力するとともに、表示部が第２表示位置に位置する場合に表示画面部の表示方向を第２表示方向に切り替える第２切替信号を出力するように構成され、第１切替信号および第２切替信号に基づいて、それぞれ、第１衛星電波受信アンテナと第２衛星電波受信アンテナとが選択されるように構成されている。このように構成すれば、ユーザが表示部を第１表示位置または第２表示位置に回動させるだけで、回動検出部と第１切替信号または第２切替信号とにより、表示方向を切り替えるとともに、略天頂方向を向く衛星電波受信アンテナを選択することができる。
【００１８】
上記制御部が表示方向の切替信号を出力する構成において、好ましくは、切替信号は、第１切替信号と第２切替信号とを含み、端末本体部の傾きを検出することにより表示部の上方向を検出する傾き検出部をさらに備え、制御部は、傾き検出部の検出信号に基づいて、表示部の上方向が表示画面部の第１表示方向に略一致する場合には表示画面部の表示方向を第１表示方向に切り替える第１切替信号を出力するとともに、表示部の上方向が表示画面部の第２表示方向に略一致する場合には表示画面部の表示方向を第２表示方向に切り替える第２切替信号を出力するように構成され、第１切替信号および第２切替信号に基づいて、それぞれ、第１衛星電波受信アンテナと第２衛星電波受信アンテナとが選択されるように構成されている。このように構成すれば、ユーザが端末本体部の向きを縦横に変更することにより表示部の向きを変更するだけで、傾き検出部と第１切替信号または第２切替信号とにより、表示方向を切り替えるとともに、略天頂方向を向く衛星電波受信アンテナを選択することができる。
【００１９】
上記第１の局面による携帯端末において、好ましくは、表示部の表示面に対する第１衛星電波受信アンテナの第１受信方向および第２衛星電波受信アンテナの第２受信方向の所定の角度は、３０度以上６０度以下の角度を有する。ユーザが端末本体部を把持してＧＰＳ機能を使用する場合には、通常、ユーザが表示部を見やすいように、表示部を水平方向に対して４５度程度（６０度〜３０度）の角度に傾けた状態で端末本体部が保持される。この結果、端末本体部を把持した状態において、第１表示方向が上方向となる場合には、第１衛星電波受信アンテナの第１受信方向が水平方向から４５度程度（６０度〜３０度）傾いた表示部の表示面に対して３０度以上６０度以下の角度を有することとなるので、第１衛星電波受信アンテナの指向性の方向（第１受信方向）を、水平方向に対して略９０度（略天頂方向）の近傍となるようにすることができる。同様に、第２表示方向が上方向となる場合には、第２衛星電波受信アンテナの第２受信方向が水平方向から４５度程度（６０度〜３０度）傾いた表示部の表示面に対して３０度以上６０度以下の角度を有することとなり、第２衛星電波受信アンテナの指向性の方向（第２受信方向）を、水平方向に対して略９０度（略天頂方向）の近傍となるようにすることができる。これにより、端末本体部を把持した使用時の状態で、常に表示方向に応じて衛星電波受信アンテナの指向性を略天頂方向に向けることができる。
【００２０】
上記第１の局面による携帯端末において、好ましくは、表示画面部は、平面的に見て長方形状を有し、第１表示方向は表示画面部の長手方向を上方向とするように設定されるとともに、第２表示方向は表示画面部の短手方向を上方向とするように設定され、第１衛星電波受信アンテナは、表示部において、表示画面部の第１表示方向側に設けられているとともに、第２衛星電波受信アンテナは、表示部において、表示画面部の第２表示方向側に設けられている。このように構成すれば、長方形状の表示画面部が縦長（長手方向が上方向）となる第１表示方向を上方向として使用する場合には、指向性が略天頂方向を向く第１衛星電波受信アンテナを上方向（第１表示方向）側に配置することができる。また、長方形状の表示画面部が横長（短手方向が上方向）となる第２表示方向を上方向として使用する場合には、指向性が略天頂方向を向く第２衛星電波受信アンテナを上方向（第２表示方向）側に配置することができる。これにより、携帯端末の使用時に、指向性が略天頂方向を向く衛星電波受信アンテナを常に表示部の上方向側に配置することができるので、たとえば携帯端末の連結部分などにアンテナが設けられる場合と比較して、ユーザの手指などに遮られることなく良好な受信感度を得ることができる。
【発明を実施するための最良の形態】
【００２１】
以下、本発明を具体化した実施形態を図面に基づいて説明する。
【００２２】
（第１実施形態）
図１および図３は、本発明の第１実施形態による携帯通信端末の全体構成を示した斜視図である。また、図２および図４〜図１０は、図１および図３に示した本発明の第１実施形態による携帯通信端末の詳細な構成を示した図である。まず、図１〜図１０を参照して、本発明の第１実施形態による携帯通信端末１００の構成について説明する。なお、第１実施形態では、携帯端末の一例である携帯通信端末１００に本発明を適用した例について説明する。
【００２３】
本発明の第１実施形態による携帯通信端末１００は、図１に示すように、上側本体部１０と、上側本体部１０に設けられた表示部２０と、下側本体部３０とを備える。また、上側本体部１０は、スピーカ１１と、連結部１２とを備えている。また、下側本体部３０は、マイク３１と、キーボード３２と、連結部３３と、通信アンテナ３４（破線参照）とを備えている。また、図６に示すように、携帯通信端末１００は、下側本体部３０の内部に、通信回路３５と、ＧＰＳ受信回路３６と、選択スイッチ３７と、ＣＰＵ（中央処理装置）４１と、Ｉ／Ｆ（インターフェース）４２と、ＲＡＭ（Ｒａｎｄｏｍ  Ａｃｃｅｓｓ  Ｍｅｍｏｒｙ）４３と、ＲＯＭ（Ｒｅａｄ  Ｏｎｌｙ  Ｍｅｍｏｒｙ）４４と、ディスプレイ駆動回路４５とを備えている。また、図１に示すように、表示部２０は、ディスプレイ２１と、フレーム２２と、２つのＧＰＳアンテナ２３および２４とを含んでいる。なお、上側本体部１０および下側本体部３０は、本発明の「端末本体部」の一例である。また、ディスプレイ２１は、本発明の「表示画面部」の一例である。なお、ＧＰＳアンテナ２３および２４は、それぞれ、本発明の「第１衛星電波受信アンテナ」および「第２衛星電波受信アンテナ」の一例である。また、ＣＰＵ４１は、本発明の「制御部」の一例である。
【００２４】
図１および図３に示すように、第１実施形態による携帯通信端末１００の上側本体部１０と下側本体部３０とは、平面的に見て、略同形状の長方形状を有する。そして、第１実施形態による携帯通信端末１００は、上側本体部１０と下側本体部３０とが開閉可能に構成されたいわゆる折り畳み型の携帯通信端末である。また、携帯通信端末１００は、全地球測位システム（ＧＰＳ）を用いた位置情報を表示部２０に表示させる機能（ＧＰＳ機能）を有する。
【００２５】
携帯通信端末１００の上側本体部１０は、図１に示すように、平面的に見て板状の長方形状を有する表示部２０と、軸部１２ａによって表示部２０をＲ２方向に回動可能に支持する連結部１２とから構成されている。また、連結部１２は、下側本体部３０の連結部３３と軸部３３ａによってＲ１方向に回動可能に連結されている。これにより、上側本体部１０は、図３に示す閉状態から下側本体部３０に対してＲ１方向に開いて図２に示す開状態とすることができる。一方、上側本体部１０は、軸部１２ａによりＲ２方向に開いて図４に示す開状態とすることができる。このように、携帯通信端末１００は、２通りに開閉することができるように構成されている。第１実施形態では、これらの開状態のうち、図１および図２に示すように、表示部２０のディスプレイ２１の長手方向（Ｄ１方向）が携帯通信端末１００の上方向となる状態を縦状態とするとともに、縦状態で表示を行う場合を縦表示状態とする。また、図４および図５に示すように、表示部２０のディスプレイ２１の短手方向（Ｄ２方向）が携帯通信端末１００の上方向となる状態を横状態とするとともに、横状態で表示を行う場合を横表示状態とする。
【００２６】
また、上側本体部１０のスピーカ１１は、ＣＰＵ４１からＩ／Ｆ４２を介して出力される電気信号を音声に変換し、ユーザに伝達する機能を有する。このスピーカ１１は、表示部２０のフレーム２２の外周部に設けられている。
【００２７】
上側本体部１０の連結部１２は、表示部２０をＲ２方向に回動（開閉）させるための軸部１２ａと、表示部２０と係合して回動（開閉）を規制するための係合部１２ｂと、表示部２０のＲ２方向の回動（開閉）を検出するための開閉方向検出部１２ｃとを含む。連結部１２は、下側本体部３０の連結部３３に軸部３３ａを介して取り付けられることにより、上側本体部１０と下側本体部３０とを連結する機能を有する。なお、開閉方向検出部１２ｃは、本発明の「回動検出部」の一例である。
【００２８】
連結部１２の軸部１２ａは、表示部２０の短手方向（Ｘ方向）の一方端（Ｘ１方向）に設けられている。軸部１２ａは、軸部１２ａの延びる軸（表示部２０の長手方向）を中心に表示部２０を回動可能に支持するように構成されている。これにより、軸部１２ａは、表示部２０を図３に示す閉状態から図４に示す開状態（第２表示位置Ｐｄ２）に開閉可能に支持するように構成されている。なお、表示部２０が軸部１２ａ回りに回動される場合、図８に示すように、表示部２０は連結部１２に対して任意の位置（第２表示位置Ｐｄ２）で保持することが可能なように構成されている。
【００２９】
また、軸部１２ａには開閉方向検出部１２ｃが取り付けられている。この開閉方向検出部１２ｃはリードスイッチを有する。一方、表示部２０の軸部１２ａの近傍にはリードスイッチを動作させるための図示しない磁石が設けられていて、表示部２０の回動に合わせて軸部１２ａ回りに回動するように構成されている。このため、表示部２０が軸部１２ａ回り（Ｒ２方向）に回動すると、表示部２０に設けられた磁石が開閉方向検出部１２ｃに近接または離間することにより、リードスイッチが動作する。これにより、表示部２０のＲ２方向の開閉が検出されるように構成されている。この開閉方向検出部１２ｃにより表示部２０のＲ２方向の開閉が検出されると、開閉方向検出部１２ｃから検出信号が出力され、ＣＰＵ４１に入力されるように構成されている。
【００３０】
また、連結部１２の係合部１２ｂは、連結部１２において、表示部２０の短手方向（Ｘ方向）の軸部１２ａと反対側（Ｘ２方向）の端部に形成されている。係合部１２ｂは、表示部２０のフレーム２２に形成された係合部２２ａ（図４参照）と係合して、表示部２０の軸部１２ａ回りの回動を規制するように構成されている。表示部２０を回動させて、表示部２０が図３に示す閉状態に位置する場合に、連結部１２の係合部１２ｂとフレーム２２の係合部２２ａとが係合するように構成されている。これにより、表示部２０が図１に示す縦状態および図３に示す閉状態に保持されるように構成されている。なお、係合部１２ｂおよび２２ａによる係合は、表示部２０に対してＲ２方向に所定以上の力が加わることにより解除されるように構成されている。また、図１〜図３に示すように、係合部１２ｂとフレーム２２の係合部２２ａとが係合した状態で、表示部２０の表面と連結部１２の表面とが面一となるように構成されている。したがって、この状態では上側本体部１０は平板形状を有する。
【００３１】
また、表示部２０は、平面的に見て長方形状を有するディスプレイ２１と、長方形状を有するフレーム２２とから構成されている。ディスプレイ２１は、フレーム２２に嵌め込まれて固定されている。ディスプレイ２１の表示面２１ａとフレーム２２の表面とは面一となるように形成されており、表示部２０は、平板形状を有する。
【００３２】
表示部２０のディスプレイ２１は、ディスプレイ駆動回路４５より出力される画像情報を表示する機能を有する。この画像情報には、画像データのほか、ＧＰＳを用いた携帯通信端末１００の位置情報、着信および送信先の電話番号や電子メールの内容、携帯通信端末１００の設定情報などのデータが含まれる。ＧＰＳ機能の使用時、送信先の選択、メール作成や携帯通信端末１００の設定時には、ユーザがディスプレイ２１に表示された画像情報を視認しながらキーボード３２の操作を行うように構成されている。
【００３３】
また、ディスプレイ２１は、ディスプレイ駆動回路４５によって出力される画像情報の向きが変更されることにより、表示方向を切り替えるように構成されている。すなわち、図１および図２に示すように、携帯通信端末１００が縦状態にある場合には、ディスプレイ２１は、ディスプレイ２１の長手方向を上下方向とする第１表示方向Ｄ１（上方向）に表示されるように構成されている。一方、図５に示すように、携帯通信端末１００が横状態にある場合には、ディスプレイ２１は、ディスプレイ２１の短手方向を上下方向とする第２表示方向Ｄ２（上方向）に表示されるように構成されている。これにより、携帯通信端末１００は、上側本体部１０または表示部２０の開閉方向を変更することにより、ディスプレイ２１を縦長の画面（縦状態）としても、横長の画面（横状態）としても使用することができるように構成されている。
【００３４】
第１実施形態では、表示部２０（ディスプレイ２１）の表示方向の切り替えは、上側本体部１０（表示部２０）の開閉方向を変更することにより行われるように構成されている。具体的には、縦長の第１表示方向Ｄ１で携帯通信端末１００を使用する場合には、上側本体部１０が閉状態（図３参照）からＲ１方向に開かれて、縦状態に保持される。このとき、下側本体部３０の連結部３３に設けられた後述する開閉方向検出部３３ｂによって、Ｒ１方向の回動が検出され、検出信号がＣＰＵ４１に出力されるように構成されている。この検出信号に基づき、ＣＰＵ４１からディスプレイ駆動回路４５に表示方向の切替信号（第１切替信号）が出力され、ディスプレイ２１に出力される画像情報の表示方向を第１表示方向Ｄ１とするように構成されている。一方、横長の第２表示方向Ｄ２で携帯通信端末１００を使用する場合には、閉状態（図３参照）から表示部２０がＲ２方向に開かれて、横状態に保持される。このとき、上側本体部１０の連結部１２に設けられた開閉方向検出部１２ｃによって、Ｒ２方向の回動が検出され、検出信号がＣＰＵ４１に出力される。この検出信号に基づき、ＣＰＵ４１からディスプレイ駆動回路４５に表示方向の切替信号（第２切替信号）が出力され、ディスプレイ２１に出力される画像情報の表示方向を第２表示方向Ｄ２とするように構成されている。したがって、これらの開閉方向検出部１２ｃおよび３３ｂは、上側本体部１０（表示部２０）の開閉方向を検出することによって、表示部２０の上方向が第１表示方向Ｄ１であるか第２表示方向Ｄ２であるかを検出している。この開閉方向検出部１２ｃおよび３３ｂからの上方向の検出信号に応じて、ＣＰＵ４１が、ディスプレイ２１の表示方向を変更するように構成されている。なお、開閉方向検出部３３ｂは、本発明の「回動検出部」の一例である。
【００３５】
また、図１に示すように、フレーム２２は、ディスプレイ２１の外周を取り囲むようにしてディスプレイ２１を固定および保護することにより表示部２０の外周部を構成している。また、フレーム２２は、外周部にスピーカ１１と、２つのＧＰＳアンテナ２３および２４とを内蔵している。また、フレーム２２は、連結部１２と接する側の短辺の角部近傍において、連結部１２と軸部１２ａによって連結され、Ｒ２方向に回動可能に支持されている。また、図４に示すように、フレーム２２の軸部１２ａとの連結部分のＸ１方向の反対側には、連結部１２の係合部１２ｂと係合する係合部２２ａが形成されている。
【００３６】
また、フレーム２２の外周部に内蔵されたＧＰＳアンテナ２３は、図１に示すように、フレーム２２において、ディスプレイ２１の第１表示方向Ｄ１側の短辺に設けられている。一方、ＧＰＳアンテナ２４は、フレーム２２において、ディスプレイ２１の第２表示方向Ｄ２側の長辺に設けられている。したがって、図１に示すように、ＧＰＳアンテナ２３は、携帯通信端末１００が縦状態にある場合に、ディスプレイ２１の表示方向の上方向側（第１表示方向Ｄ１）の先端部に配置されるように構成されている。また、図５に示すように、ＧＰＳアンテナ２４は、携帯通信端末１００が横状態にある場合に、ディスプレイ２１の表示方向の上方向側（第２表示方向Ｄ２）の先端部近傍に配置されるように構成されている。
【００３７】
ＧＰＳアンテナ２３および２４は、図７および図８に示すように、それぞれアンテナ表面２３ａ、２４ａに対して上方（Ｄａ１およびＤａ２方向）に単一指向性を有するとともに、円偏波特性を有するように構成されている。このＧＰＳアンテナ２３および２４は、図９および図１０に示すように、アンテナ表面２３ａ、２４ａに対して上方（Ｄａ１およびＤａ２方向）に広い指向性パターンＱを有するため、ＧＰＳアンテナ２３および２４のＤａ１およびＤａ２方向の指向性を略天頂方向（ＧＰＳ衛星２００側）に向けた状態で、最も広範囲にＧＰＳ衛星２００からの衛星電波（測位用電波）を受信することが可能である。これにより、ＧＰＳアンテナ２３および２４は、それぞれ、指向性の方向Ｄａ１およびＤａ２を略天頂方向（Ｚ１方向）に向けた場合に、位置の異なる複数のＧＰＳ衛星２００からの衛星電波（測位用電波）を適切に受信することができる。
【００３８】
また、フレーム２２の第１表示方向Ｄ１側に配置されたＧＰＳアンテナ２３は、図７に示すように、ディスプレイ２１（表示部２０）の表示面２１ａに対して第１表示方向Ｄ１から、角度θを有するように固定的に設置されている。ここで、角度θは、略３０度以上略６０度以下の範囲で設定される。第１実施形態では、この角度θは約４５度となるように構成されている。このため、ＧＰＳアンテナ２３は、指向性の方向がディスプレイ２１の第１表示方向Ｄ１から表示面２１ａに対して角度θ（約４５度）傾いた第１受信方向Ｄａ１に設定されている。
【００３９】
また、フレーム２２の第２表示方向Ｄ２側に配置されたＧＰＳアンテナ２４もＧＰＳアンテナ２３と同様に、図８に示すように、ディスプレイ２１（表示部２０）の表示面２１ａに対して第２表示方向Ｄ２から、角度θを有するように固定的に設置されている。この角度θもＧＰＳアンテナ２３と同じ約４５度となるように構成されている。このため、ＧＰＳアンテナ２４は、指向性の方向がディスプレイ２１の第２表示方向Ｄ２から表示面２１ａに対して角度θ（約４５度）傾いた第２受信方向Ｄａ２に設定されている。
【００４０】
ここで、携帯通信端末１００は、表示部２０（ディスプレイ２１）の表示方向の上方向が携帯通信端末１００の上方向となるように（ユーザにより）保持され、使用される。すなわち、携帯通信端末１００を縦状態にして使用する場合には、ユーザにより下側本体部３０が縦向き（下側本体部３０の長手方向が上下方向）に把持され、第１表示方向Ｄ１が携帯通信端末１００の上方向となるように構成されている。この場合、図９に示すように、表示部２０の第１表示方向Ｄ１側の先端部近傍に配置されたＧＰＳアンテナ２３が携帯通信端末１００の上方向側に配置される。また、携帯通信端末１００を横状態にして使用する場合には、ユーザにより下側本体部３０が横向きに（下側本体部３０の短手方向が上下方向）把持され、第１表示方向Ｄ１が携帯通信端末１００の上方向となるように構成されている。この場合、図１０に示すように、表示部２０の第２表示方向Ｄ２側の先端部近傍に配置されたＧＰＳアンテナ２３が携帯通信端末１００の上方向側に配置される。
【００４１】
なお、図９および図１０に示すように、通常、携帯通信端末１００をユーザが把持してＧＰＳによる位置情報を表示部２０（ディスプレイ２１）に表示させる機能（ＧＰＳ機能）を使用する場合には、表示部２０に表示される画像を見ながらキーボード３２を操作する必要がある。このため、携帯通信端末１００は、表示部２０（ディスプレイ２１）の表示面２１ａがユーザにとって見易い角度となるように、表示部２０の表示方向の上方向が水平面に対して所定の角度φ（約４５度）だけ傾くようにして使用されると考えられる。具体的には、図９に示すように、携帯通信端末１００を縦状態で使用する場合には、表示部２０の表示方向の上方向である第１表示方向Ｄ１が、水平面に対して角度φ（約４５度）だけ傾くように保持される。また、図１０に示すように、携帯通信端末１００を横状態で使用する場合には、表示部２０の表示方向の上方向である第２表示方向Ｄ２が、水平面に対して角度φ（約４５度）だけ傾くように保持される。
【００４２】
このように、携帯通信端末１００のＧＰＳ機能を使用する場合には、表示部２０の表示方向の上方向が水平面に対して角度φ（約４５度）だけ傾くようにして使用される。この場合、図９に示すように、ＧＰＳアンテナ２３の第１受信方向Ｄａ１が、ディスプレイ２１（表示部２０）の表示面２１ａに対して第１表示方向Ｄ１から角度θ＝約４５度の方向となるため、ＧＰＳアンテナ２３の第１受信方向Ｄａ１は、水平面から約４５度（表示部２０の傾きφ）＋約４５度（第１受信方向Ｄａ１の傾きθ）＝約９０度の鉛直上方（略天頂方向（Ｚ１方向））を向くように構成されている。また、図１０に示すように、ＧＰＳアンテナ２４の第２受信方向Ｄａ２が、ディスプレイ２１（表示部２０）の表示面２１ａに対して第２表示方向Ｄ２から角度θ＝約４５度の方向となるため、ＧＰＳアンテナ２４の第２受信方向Ｄａ２は、水平面から約４５度（表示部２０の傾きφ）＋約４５度（第２受信方向Ｄａ２の傾きθ）＝約９０度の鉛直上方（略天頂方向（Ｚ１方向））を向くように構成されている。
【００４３】
これにより、第１実施形態では、携帯通信端末１００をユーザが把持して表示部２０を見ながら使用する場合に、ＧＰＳアンテナ２３および２４の指向性が、携帯通信端末１００が縦向きで使用される縦状態と、携帯通信端末１００が横向きで使用される横状態とのいずれの状態にある場合においても、略天頂方向（鉛直上方（Ｚ１方向））を向くように構成されている。すなわち、図９に示すように、携帯通信端末１００が縦状態で使用される場合において、ＧＰＳアンテナ２３が表示部２０の上端部近傍に配置されて第１表示方向Ｄ１が表示部２０の上方向となる状態で、ＧＰＳアンテナ２３の指向性（第１受信方向Ｄａ１）が略天頂方向を向くように構成されている。同様に、図１０に示すように、携帯通信端末１００が横状態で使用される場合において、ＧＰＳアンテナ２４が表示部２０の上端部近傍に配置されて第２表示方向Ｄ２が表示部２０の上方向となる状態で、ＧＰＳアンテナ２４の指向性（第２受信方向Ｄａ２）が略天頂方向（Ｚ１方向）を向くように構成されている。
【００４４】
また、携帯通信端末１００の下側本体部３０は、図２に示すように、上側本体部１０に対応した長方形状を有する。図３に示すように、上側本体部１０と下側本体部３０とを折り畳んだ閉状態では、上側本体部１０の外形と下側本体部３０の外形とが略重なるように構成されている。下側本体部３０の上面には、マイク３１と、キーボード３２と、連結部３３とが配置されている。また、下側本体部３０の内部には、通信アンテナ３４、通信回路３５、ＧＰＳ受信回路３６、および、選択スイッチ３７が内蔵されている。また、下側本体部３０の内部には、携帯通信端末１００の制御を行うためのＣＰＵ４１、Ｉ／Ｆ４２、ＲＡＭ４３、ＲＯＭ４４、および、ディスプレイ２１への画像出力を行うためのディスプレイ駆動回路４５が内蔵されている。
【００４５】
下側本体部３０のマイク３１は、携帯通信端末１００のユーザの声を検出して電気信号に変換する機能を有する。また、図６に示すように、この電気信号に変換された音声は、Ｉ／Ｆ４２を介してＣＰＵ４１に出力されるように構成されている。
【００４６】
下側本体部３０のキーボード３２は、ユーザが携帯通信端末１００の操作を行うための入力情報をＣＰＵ４１へ出力する機能を有する。また、図１に示すように、携帯通信端末１００のユーザは、キーボード３２のダイヤルボタン３２ａから電話番号の入力、文字入力などを行う。また、携帯通信端末１００は、機能ボタン３２ｂから、携帯通信端末１００の設定や、ＧＰＳを用いた位置情報の表示などの各種機能を実行するように構成されている。ユーザは、ＧＰＳによる位置情報の取得および表示を行う場合には、表示部２０（ディスプレイ２１）に表示される項目や、現在位置を示す画像を見ながら選択ボタン３２ｃを操作することにより、ＧＰＳによる位置情報の表示機能を実行する。また、携帯通信端末１００は、メールボタン３２ｄにより、電子メール送受信に関する機能を実行するように構成されている。
【００４７】
また、下側本体部３０の連結部３３は、下側本体部３０に固定的に設けられ、上側本体部１０を回動可能に支持するように構成されている。連結部３３は、内部に軸部３３ａと開閉方向検出部３３ｂとを含んでいる。連結部３３は、軸部３３ａにより上側本体部１０の連結部１２と連結されている。この軸部３３ａは、下側本体部３０の短辺方向（Ｘ方向）に延びるように形成されていて、上側本体部１０の連結部１２を軸部３３ａ回り（Ｒ１方向）に回動可能に支持するように構成されている。これにより、連結部１２と連結部３３とにより連結された上側本体部１０と下側本体部３０とが、Ｒ１方向に開閉可能に構成されている。このように、携帯通信端末１００は、上側本体部１０を軸部３３ａ回り（Ｒ１方向）に回動させることによって、表示部２０を第１表示位置Ｐｄ１に回動させ、ディスプレイ２１の第１表示方向Ｄ１が上方向となる縦状態とすることが可能なように構成されている。
【００４８】
また、軸部３３ａには開閉方向検出部３３ｂが取り付けられている。この開閉方向検出部３３ｂはリードスイッチを有する。一方、連結部１２の軸部３３ａの近傍にはリードスイッチを動作させるための図示しない磁石が設けられていて、連結部１２（上側本体部１０）の回動に合わせて軸部３３ａ回りに回動するように構成されている。このため、上側本体部１０が軸部３３ａ回り（Ｒ１方向）に回動すると、連結部１２に設けられた磁石が開閉方向検出部３３ｂに近接または離間することにより、リードスイッチが動作する。これにより、上側本体部１０のＲ１方向への開閉が検出されるように構成されている。この開閉方向検出部３３ｂにより上側本体部１０のＲ１方向の開閉が検出されると、開閉方向検出部３３ｂから検出信号が出力され、ＣＰＵ４１に入力されるように構成されている。
【００４９】
また、携帯通信端末１００の通信回路３５は、下側本体部３０に内蔵された通信アンテナ３４を介して通信電波の送受信を行う機能を有する。通信回路３５は、基地局を介して携帯電話網およびインターネットへの無線通信接続を行うことができるように構成されている。これにより、携帯通信端末１００は、他の通信端末との電話回線を用いた通話や、電子メールの送受信を行う。また、通信回路３５が受信した情報は、ＣＰＵ４１へ出力される。
【００５０】
また、携帯通信端末１００のＧＰＳ受信回路３６は、全地球測位システム（ＧＰＳ）を用いて携帯通信端末１００の位置情報を取得する機能を有する。ＧＰＳ受信回路３６には、ＧＰＳアンテナ２３または２４により受信された複数のＧＰＳ衛星２００（図９参照）からの測位用電波が入力されるように構成されている。ＧＰＳ受信回路３６は、受信した測位用電波の情報に基づき三次元測位を行うことにより、携帯通信端末１００の現在位置の測定を行うように構成されている。ＧＰＳ受信回路３６は、図６に示すように、選択スイッチ３７を介して２つのＧＰＳアンテナ２３および２４と選択的に接続されるように構成されている。具体的には、携帯通信端末１００が縦状態で使用される場合には、第１受信方向Ｄａ１が略天頂方向（図９参照）を向くＧＰＳアンテナ２３が選択スイッチ３７により選択されることにより、ＧＰＳ受信回路３６はＧＰＳアンテナ２３と接続される。また、携帯通信端末１００が横状態で使用される場合には、第２受信方向Ｄａ２が略天頂方向（図１０参照）を向くＧＰＳアンテナ２４が選択スイッチ３７により選択されることにより、ＧＰＳ受信回路３６はＧＰＳアンテナ２４と接続される。なお、ＧＰＳ受信回路３６を用いて取得した位置情報は、ＣＰＵ４１に出力されるように構成されている。
【００５１】
また、下側本体部３０に内蔵された選択スイッチ３７は、ＧＰＳアンテナ２３およびＧＰＳアンテナ２４の両方に選択的に接続され、携帯通信端末１００のＧＰＳ機能を使用する際に測位用電波を受信するＧＰＳアンテナを選択する機能を有する。選択されたＧＰＳアンテナ２３または２４は、選択スイッチ３７を介してＧＰＳ受信回路３６と接続される。また、選択スイッチ３７には、ＣＰＵ４１からディスプレイ２１の表示方向を切り替えるための切替信号（第１切替信号または第２切替信号）が出力されるように構成されている。この選択スイッチ３７によるＧＰＳアンテナ２３または２４の選択は、ＣＰＵ４１から出力される表示方向の切替信号（第１切替信号または第２切替信号）に基づいて行われるように構成されている。
【００５２】
また、下側本体部３０に内蔵されたＣＰＵ４１は、携帯通信端末１００の全体の制御を行うように構成されている。すなわち通信回路３５を介した携帯通信端末１００の通信制御およびＧＰＳ受信回路３６を介した位置情報の取得を行うとともに、スピーカ１１、マイク３１およびキーボード３２の制御を行うように構成されている。また、ＣＰＵ４１は、ＲＯＭ４４よりプログラムを読み出し、ＲＡＭ４３をワークエリアとして所定の機能を実行するとともに、携帯通信端末１００の機器設定情報、送受信された電子メール、画像データおよび位置情報などを図示しない不揮発性メモリに記憶させる機能を有する。また、ＣＰＵ４１は、ディスプレイ駆動回路４５に画像情報を出力することにより、携帯通信端末１００の機能に応じた画像をディスプレイ２１に表示させるように構成されている。ＧＰＳによる位置情報の表示機能を使用する際には、ＣＰＵ４１がキーボード３２からの入力情報に基づきＧＰＳ受信回路３６を介して位置情報の取得を行い、取得した携帯通信端末１００の現在位置の画像をディスプレイ駆動回路４５を介してディスプレイ２１に出力させるように構成されている。
【００５３】
また、ＣＰＵ４１は、ディスプレイ２１の表示方向を第１表示方向Ｄ１と第２表示方向Ｄ２とに切り替えるための切替信号（第１切替信号または第２切替信号）をディスプレイ駆動回路４５および選択スイッチ３７に出力するように構成されている。ＣＰＵ４１は、この切替信号（第１切替信号または第２切替信号）を、開閉方向検出部１２ｃおよび３３ｂからの検出信号に基づいて出力するように構成されている。具体的には、図１に示すように、上側本体部１０が軸部３３ａ回りに回動（開閉）されると、開閉方向検出部３３ｂによりＲ１方向の回動の検出信号がＣＰＵ４１に出力される。ＣＰＵ４１は、この開閉方向検出部３３ｂからの検出信号に基づき、ディスプレイ２１の表示方向を第１表示方向Ｄ１に切り替える切替信号（第１切替信号）を出力するように構成されている。また、図４および図５に示すように、表示部２０が軸部１２ａ回りに回動（開閉）されると、開閉方向検出部１２ｃによりＲ２方向の回動の検出信号がＣＰＵ４１に出力される。ＣＰＵ４１は、この開閉方向検出部１２ｃからの検出信号に基づき、ディスプレイ２１の表示方向を第２表示方向Ｄ２に切り替える切替信号（第２切替信号）を出力するように構成されている。
【００５４】
これにより、ＣＰＵ４１は、ディスプレイ駆動回路４５に切替信号（第１切替信号または第２切替信号）を出力することによって、ディスプレイ２１の表示方向を第１表示方向Ｄ１と第２表示方向Ｄ２とに切り替える機能を有する。また、ＣＰＵ４１は、選択スイッチ３７に切替信号（第１切替信号または第２切替信号）を出力することによって、ＧＰＳ衛星２００からの測位用電波を受信するためのＧＰＳアンテナ２３とＧＰＳアンテナ２４とを選択する機能を有する。そして、携帯通信端末１００は、縦状態で使用される場合には、ＣＰＵ４１から第１表示方向Ｄ１に切り替える切替信号（第１切替信号）が出力されることにより、第１表示方向Ｄ１が携帯通信端末１００の上方向となるとともに、携帯通信端末１００の上端部に配置されたＧＰＳアンテナ２３が選択されるように構成されている。また、携帯通信端末１００が横状態で使用される場合には、ＣＰＵ４１から第２表示方向Ｄ２に切り替える切替信号（第２切替信号）が出力されることにより、第２表示方向Ｄ２が携帯通信端末１００の上方向となるとともに、携帯通信端末１００の上端部に配置されたＧＰＳアンテナ２４が選択されるように構成されている。
【００５５】
また、下側本体部３０のＩ／Ｆ４２は、スピーカ１１、マイク３１、キーボード３２と接続されている。ＣＰＵ４１によるスピーカ１１、マイク３１、キーボード３２の制御および情報の入出力は、Ｉ／Ｆ４２を介して行われるように構成されている。ＣＰＵ４１とスピーカ１１、マイク３１およびキーボード３２との入出力信号は、Ｉ／Ｆ４２により各デバイスに適した信号に変換されてそれぞれ出力されるように構成されている。
【００５６】
また、下側本体部３０のＲＡＭ４３は、ＣＰＵ４１による制御に伴い生成される一時データを書き換え可能に記憶する機能を有する。また、ＲＯＭ４４には、ＧＰＳを用いた位置情報の取得などのＣＰＵ４１による各種の機能を実現させるためのプログラムなどが記憶されている。
【００５７】
また、下側本体部３０のディスプレイ駆動回路４５は、ＣＰＵ４１から出力される画像情報や色情報に基づき、所定のタイミングで表示信号をディスプレイ２１に出力することにより、ディスプレイ２１に画像を表示させる機能を有する。このディスプレイ駆動回路４５は、ＣＰＵ４１から出力されるディスプレイ２１の表示方向の切替信号に基づいて、ディスプレイ２１の表示方向を第１表示方向Ｄ１と、第２表示方向Ｄ２とに切り替えるように構成されている。
【００５８】
次に、図１〜図４、図６、図９および図１０を参照して、第１実施形態によるＧＰＳアンテナ２３および２４の選択動作について説明する。
【００５９】
第１実施形態では、開閉方向検出部１２ｃおよび３３ｂから出力される検出信号に基づき、ＣＰＵ４１から表示方向の切替信号（第１切替信号または第２切替信号）がディスプレイ駆動回路４５および選択スイッチ３７に出力される。そして、切替信号（第１切替信号または第２切替信号）に基づき、ディスプレイ駆動回路４５によりディスプレイ２１の表示方向が切り替えられるとともに、選択スイッチ３７によりＧＰＳアンテナ２３または２４が選択される。
【００６０】
具体的には、図１に示すように、ＧＰＳアンテナ２３に選択される場合は、ユーザにより上側本体部１０が閉状態（図３参照）からＲ１方向に開かれて、表示部２０が第１表示位置Ｐｄ１まで回動される。これにより、携帯通信端末１００は、縦状態に保持される。このとき、下側本体部３０の連結部３３に設けられた開閉方向検出部３３ｂによって、連結部１２（上側本体部１０）のＲ１方向の回動が検出され、検出信号がＣＰＵ４１に出力される。この検出信号に基づき、ＣＰＵ４１からディスプレイ駆動回路４５および選択スイッチ３７に表示方向を第１表示方向Ｄ１とする切替信号（第１切替信号）が出力される。図１および図２に示すように、この切替信号（第１切替信号）に基づき、ディスプレイ駆動回路４５により、ディスプレイ２１に出力される画像情報の表示方向が第１表示方向Ｄ１に変更される。また、図６に示すように、第１表示方向Ｄ１とする切替信号が選択スイッチ３７にも出力されることにより、ＧＰＳアンテナ２３が選択スイッチ３７を介してＧＰＳ受信回路３６と接続される。これにより、ディスプレイ２１が第１表示方向Ｄ１で表示される縦表示状態では、フレーム２２の第１表示方向Ｄ１側に配置されたＧＰＳアンテナ２３が選択される。
【００６１】
図９に示すように、携帯通信端末１００が縦状態で使用される場合、ユーザにより下側本体部３０が把持されて、表示部２０は第１表示方向Ｄ１を上方向として第１表示位置Ｐｄ１に保持される。このとき、表示部２０は、視認性の確保のため水平方向から角度φ（約４５度）で保持される。この縦状態で選択されるＧＰＳアンテナ２３の指向性の第１受信方向Ｄａ１は、ディスプレイ２１の第１表示方向Ｄ１から角度θ（約４５度）に設定されている。このため、第１受信方向Ｄａ１は、表示部２０の水平方向に対する角度φ（約４５度）＋第１受信方向Ｄａ１の表示面２１ａに対する角度θ（約４５度）＝約９０度の略天頂方向（Ｚ１方向）を向く。
【００６２】
また、図４に示すように、ＧＰＳアンテナ２４に選択される場合は、ユーザにより表示部２０が閉状態（図３参照）からＲ２方向（図１参照）に開かれて、表示部２０が第２表示位置Ｐｄ２まで回動される。これにより、携帯通信端末１００は、横状態に保持される。このとき、上側本体部１０の連結部１２に設けられた開閉方向検出部１２ｃによって、表示部２０のＲ２方向の回動が検出され、検出信号がＣＰＵ４１に出力される。この検出信号に基づき、ＣＰＵ４１からディスプレイ駆動回路４５および選択スイッチ３７に表示方向を第２表示方向Ｄ２とする切替信号（第２切替信号）が出力される。図４に示すように、この切替信号（第２切替信号）に基づき、ディスプレイ駆動回路４５により、ディスプレイ２１に出力される画像情報の表示方向が第２表示方向Ｄ２に変更される。また、図６に示すように、第２表示方向Ｄ２とする切替信号（第２切替信号）が選択スイッチ３７にも出力されることにより、ＧＰＳアンテナ２４が選択スイッチ３７を介してＧＰＳ受信回路３６と接続される。これにより、ディスプレイ２１が第２表示方向Ｄ２で表示される横表示状態では、フレーム２２の第２表示方向Ｄ２側に配置されたＧＰＳアンテナ２４が選択される。
【００６３】
図１０に示すように、携帯通信端末１００が横状態で使用される場合、ユーザにより下側本体部３０が把持されて、表示部２０は第２表示方向Ｄ２を上方向として第２表示位置Ｐｄ２に保持される。このとき、表示部２０は、視認性の確保のため水平方向から角度φ（約４５度）で保持される。この横状態で選択されるＧＰＳアンテナ２４の指向性の第２受信方向Ｄａ２は、ディスプレイ２１の第２表示方向Ｄ２から角度θ（約４５度）に設定されている。このため、第２受信方向Ｄａ２は、表示部２０の水平方向に対する角度φ（約４５度）＋第２受信方向Ｄａ２の表示面２１ａに対する角度θ（約４５度）＝約９０度の略天頂方向（Ｚ１方向）を向く。
【００６４】
第１実施形態では、上記のように、第１表示方向Ｄ１を上方向として表示部２０（ディスプレイ２１）の表示面２１ａが水平方向に対して斜めに傾けられて保持される場合に、ＧＰＳアンテナ２３の第１受信方向Ｄａ１が略天頂方向（Ｚ１方向（図９参照））を向くとともに、第２表示方向Ｄ２を上方向として表示部２０（ディスプレイ２１）の表示面２１ａが水平方向に対して斜めに傾けられて保持される場合に、ＧＰＳアンテナ２４の第２受信方向Ｄａ２が略天頂方向（Ｚ１方向（図１０参照））を向くように構成することによって、ユーザが表示部２０の表示方向（第１表示方向Ｄ１または第２表示方向Ｄ２）を変更し、かつ、視認性の観点から表示面２１ａを水平方向に対して角度φ傾けた状態で下側本体部３０を把持した場合にも、ディスプレイ２１の第１表示方向Ｄ１が上方向となる場合には第１受信方向Ｄａ１が略天頂方向（Ｚ１方向）を向くＧＰＳアンテナ２３がＣＰＵ４１により選択され、第２表示方向Ｄ２が上方向となる場合には第２受信方向Ｄａ２が略天頂方向（Ｚ１方向）を向くＧＰＳアンテナ２４がＣＰＵ４１により選択される。これにより、表示部２０の向きを第１表示方向Ｄ１または第２表示方向Ｄ２のいずれの方向に変更して使用する場合にも、常にＧＰＳアンテナ（２３または２４）の指向性（第１受信方向Ｄａ１または第２受信方向Ｄａ２）を略天頂方向（Ｚ１方向）に向けることができる。
【００６５】
また、第１実施形態では、上記のように、ＣＰＵ４１を、ディスプレイ２１の表示方向を第１表示方向Ｄ１と第２表示方向Ｄ２とに切り替える表示方向の切替信号（第１切替信号または第２切替信号）を出力するように構成するとともに、ＧＰＳアンテナ２３とＧＰＳアンテナ２４とを、ＣＰＵ４１から出力される切替信号（第１切替信号または第２切替信号）に基づいて選択されるように構成することによって、表示方向の切替信号（第１切替信号または第２切替信号）に基づいてＧＰＳアンテナ２３とＧＰＳアンテナ２４とが選択されるので、表示方向を第１表示方向Ｄ１と第２表示方向Ｄ２とに切り替える切替信号と、表示方向に応じて指向性が略天頂方向を向くＧＰＳアンテナ２３またはＧＰＳアンテナ２４を選択する信号とを共通化することができる。これにより、表示方向を切り替える切替信号と、ＧＰＳアンテナ２３または２４を選択する信号とを別個に生成および出力する必要がないので、携帯通信端末１００の回路構成を簡素化することができる。
【００６６】
また、第１実施形態では、上記のように、選択スイッチ３７を、ディスプレイ２１の表示方向を第１表示方向Ｄ１に切り替える切替信号（第１切替信号）に基づいてＧＰＳアンテナ２３を選択するとともに、ディスプレイ２１の表示方向を第２表示方向Ｄ２に切り替える切替信号（第２切替信号）に基づいてＧＰＳアンテナ２４を選択するように構成することによって、選択スイッチ３７によって、第１表示方向Ｄ１に切り替える切替信号（第１切替信号）に基づいてＧＰＳアンテナ２３が選択され、第２表示方向Ｄ２に切り替える切替信号（第２切替信号）に基づいてＧＰＳアンテナ２４が選択される。これにより、ＧＰＳアンテナごとに受信部や受信レベルを比較する比較部を設けることなく、１つの選択スイッチ３７のみにより、指向性が略天頂方向（Ｚ１方向）を向くＧＰＳアンテナ２３および２４を選択することができる。
【００６７】
また、第１実施形態では、上記のように、ＣＰＵ４１を、開閉方向検出部１２ｃおよび３３ｂの検出信号に基づいて、表示部２０が第１表示位置Ｐｄ１に位置する場合にディスプレイ２１の表示方向を第１表示方向Ｄ１に切り替える切替信号（第１切替信号）を出力するとともに、表示部２０が第２表示位置Ｐｄ２に位置する場合にディスプレイ２１の表示方向を第２表示方向Ｄ２に切り替える切替信号（第２切替信号）を出力するように構成し、第１切替信号および第２切替信号に基づいて、それぞれ、ＧＰＳアンテナ２３とＧＰＳアンテナ２４とが選択されるように構成することによって、ユーザが表示部２０を第１表示位置Ｐｄ１または第２表示位置Ｐｄ２に回動させるだけで、開閉方向検出部１２ｃおよび３３ｂと、第１切替信号または第２切替信号とにより、表示方向を第１表示方向Ｄ１と第２表示方向Ｄ２とに切り替えるとともに、略天頂方向（Ｚ１方向）を向くＧＰＳアンテナ２３とＧＰＳアンテナ２４とを選択することができる。
【００６８】
また、第１実施形態では、上記のように、表示部２０の表示面２１ａに対するＧＰＳアンテナ２３の第１受信方向Ｄａ１およびＧＰＳアンテナ２４の第２受信方向Ｄａ２の所定の角度θは、約４５度の角度を有することによって、ユーザが下側本体部３０を把持してＧＰＳ機能を使用する場合には、通常、ユーザが表示部２０を見やすいように、表示部２０を水平方向に対して角度φ（約４５度）に傾けた状態で下側本体部３０が保持される。この結果、下側本体部３０を把持した状態において、第１表示方向Ｄ１が上方向となる場合には、ＧＰＳアンテナ２３の第１受信方向Ｄａ１が水平方向から約４５度傾いた表示部２０の表示面２１ａに対して約４５度の角度θを有することとなり、ＧＰＳアンテナ２３の指向性の方向（第１受信方向Ｄａ１）を、水平方向に対して略９０度（略天頂方向（Ｚ１方向））の近傍となるようにすることができる。同様に、第２表示方向Ｄ２が上方向となる場合には、ＧＰＳアンテナ２３の第２受信方向Ｄａ２が水平方向から約４５度傾いた表示部２０の表示面２１ａに対して約４５度の角度θを有することとなり、ＧＰＳアンテナ２４の指向性の方向（第２受信方向Ｄａ２）を、水平方向に対して略９０度（略天頂方向（Ｚ１方向））の近傍となるようにすることができる。これにより、下側本体部３０を把持した状態で、常に表示方向に応じてＧＰＳアンテナ２３または２４の指向性を略天頂方向（Ｚ１方向）に向けることができる。
【００６９】
また、第１実施形態では、上記のように、ディスプレイ２１は、平面的に見て長方形状を有し、第１表示方向Ｄ１はディスプレイ２１の長手方向を上方向とするように設定されるとともに、第２表示方向Ｄ２はディスプレイ２１の短手方向を上方向とするように設定され、ＧＰＳアンテナ２３を、表示部２０において、ディスプレイ２１の第１表示方向Ｄ１側に設けるとともに、ＧＰＳアンテナ２４を、表示部２０において、ディスプレイ２１の第２表示方向Ｄ２側に設けることによって、長方形状のディスプレイ２１が縦長（長手方向が上方向）となる第１表示方向Ｄ１を上方向として使用する場合には、指向性が略天頂方向（Ｚ１方向）を向くＧＰＳアンテナ２３を上方向（第１表示方向Ｄ１）側に配置することができる。また、長方形状のディスプレイ２１が横長（短手方向が上方向）となる第２表示方向Ｄ２を上方向として使用する場合には、指向性が略天頂方向（Ｚ１方向）を向くＧＰＳアンテナ２４を上方向（第２表示方向Ｄ２）側に配置することができる。これにより、携帯通信端末１００の使用時に、指向性が略天頂方向（Ｚ１方向）を向くＧＰＳアンテナ２３または２４を常に表示部２０の上方向側に配置することができるので、たとえば携帯通信端末１００の連結部分などにアンテナが設けられる場合と比較して、ユーザの手指などに遮られることなく良好な受信感度を得ることができる。
【００７０】
（第２実施形態）
図１１は、本発明の第２実施形態による携帯通信端末を説明するための斜視図である。また、図１２は、本発明の第２実施形態による携帯通信端末の表示方向の変化を説明するための図である。また、図１３〜図１７は、本発明の第２実施形態による携帯通信端末の詳細を説明するための図である。この第２実施形態では、表示部２０の開閉方向を２つの開閉方向検出部１２ｃおよび３３ｂにより検出することにより、ディスプレイ２１の表示方向を切り替えるとともにＧＰＳアンテナ２３および２４を選択するように構成した上記第１実施形態と異なり、表示部１２０の回動を１つの回動方向検出部１２０ａにより検出することにより、ディスプレイ２１の表示方向を切り替えるとともにＧＰＳアンテナ２３および２４を選択するように構成した例について説明する。なお、回動方向検出部１２０ａは、本発明の「回動検出部」の一例である。
【００７１】
この第２実施形態では、図１１に示すように、携帯通信端末１０１の上側本体部１１０は、表示部１２０と、表示部１２０を背面側（表示面２１ａの反対側）から軸部１１２ａによって回動可能に支持する連結部１１２とから構成されている。なお、上側本体部１１０は、本発明の「端末本体部」の一例である。
【００７２】
第２実施形態では、携帯通信端末１０１は、上側本体部１１０の表示部１２０が、軸部１１２ａ回りにＲ３方向に第１表示位置Ｐｄ１と第２表示位置Ｐｄ２とに回動することによって、ディスプレイ２１が縦長の縦状態（縦表示状態）と、ディスプレイ２１が横長の横状態（横表示状態）とに切替可能に構成されている。
【００７３】
また、連結部１１２は、軸部１１２ａと、表示部１２０を軸部１１２ａを介して支持する支持部１１２ｂと、下側本体部３０の軸部３３ａと係合する軸受部１１２ｃとからなる。軸部１１２ａは、表示部１２０を表示面２１ａと同一面内で回動可能に支持するように構成されている。この軸部１１２ａは、図１２に示すように、平面的に見て、長方形状のディスプレイ２１の中心で表示部１２０を支持している。また、軸部１１２ａは、支持部１１２ｂに設けられている。支持部１１２ｂは、表示部１２０を軸部１１２ａを介して支持するとともに、図示しない係合部によって表示部１２０のＲ３方向の回動角度を所定の範囲に規制する機能を有する。これにより、表示部１２０のＲ３方向の回動は、図１１に示す第１表示位置Ｐｄ１から時計方向に約９０度の範囲に設定されている。図１２に示すように、表示部１２０は、第１表示位置Ｐｄ１から時計方向に回動して、第２表示位置Ｐｄ２に移動するように構成されている。このとき、携帯通信端末１０１は、横状態となる。
【００７４】
また、連結部１１２は、軸受部１１２ｃにより下側本体部３０の連結部３３と連結され、第１実施形態と同様に軸部３３ａ回りにＲ１方向に回動可能に構成されている。
【００７５】
また、表示部１２０は、ディスプレイ２１と、ディスプレイ２１を取り囲むようにして固定するフレーム１２２とから構成されている。
【００７６】
第２実施形態では、フレーム１２２の内部に、図１４および図１５に示すように、回動方向検出部１２０ａが内蔵されている。図１１に示すように、回動方向検出部１２０ａはフレーム１２２内部の軸部１１２ａ近傍の、Ｘ２方向側に設けられている。この回動方向検出部１２０ａは、表示部１２０と一体的に回動するように構成されている。したがって、回動方向検出部１２０ａは、図１１に示す第１表示位置Ｐｄ１では軸部１１２ａのＸ２方向側に配置されるとともに、図１２に示す第２表示位置Ｐｄ２では軸部１１２ａのＹ１方向側に移動するように構成されている。
【００７７】
この回動方向検出部１２０ａはリードスイッチを有する。一方、連結部１１２の支持部１１２ｂの近傍にはリードスイッチを動作させるための図示しない磁石が設けられている。具体的には、表示部１２０が第１表示位置Ｐｄ１または第２表示位置Ｐｄ２に回動されて回動方向検出部１２０ａが移動すると、支持部１１２ｂに設けられた磁石が回動方向検出部１２０ａに近接または離間することにより、リードスイッチが動作する。これにより、表示部１２０のＲ３方向の回動が検出され、図１１の第１表示位置Ｐｄ１と、図１２の第２表示位置Ｐｄ２とが検出されるように構成されている。この回動方向検出部１２０ａにより表示部１２０のＲ３方向の回動が検出されると、回動方向検出部１２０ａから検出信号が出力され、ＣＰＵ４１に入力されるように構成されている。図１３に示すように、ＣＰＵ４１は、この回動方向検出部１２０ａの検出信号に基づいて、表示方向の切替信号（第１切替信号または第２切替信号）をディスプレイ駆動回路４５と選択スイッチ３７とに出力するように構成されている。
【００７８】
また、フレーム１２２には、２つのＧＰＳアンテナ２３および２４が内蔵されている。図１１に示すように、第２実施形態では、２つのＧＰＳアンテナ２３および２４は、両方ともフレーム１２２の第１表示方向Ｄ１の短辺側（携帯通信端末１０１の先端側）に配置されている。ここで、ＧＰＳアンテナ２４は、フレーム１２２の第２表示方向Ｄ２側に配置されている。これにより、図１４に示すように、携帯通信端末１０１を、表示部１２０が第１表示位置Ｐｄ１に位置する縦状態で使用する場合には、ＧＰＳアンテナ２３（および２４）が携帯通信端末１０１の先端部（上方向側）に配置されるように構成されている。また、図１５に示すように、携帯通信端末１０１を、表示部１２０が第２表示位置Ｐｄ２に位置する横状態で使用する場合には、ＧＰＳアンテナ２４が携帯通信端末１０１の先端部（上方向側）に配置されるように構成されている。
【００７９】
なお、携帯通信端末１０１のその他の構成は、上記第１実施形態と同様である。
【００８０】
次に、図１１〜図１３、図１６および図１７を参照して、本発明の第２実施形態によるＧＰＳアンテナ２３および２４の選択動作について説明する。
【００８１】
第２実施形態では、図１３に示すように、回動方向検出部１２０ａから出力される検出信号に基づき、ＣＰＵ４１から表示方向の切替信号（第１切替信号または第２切替信号）がディスプレイ駆動回路４５および選択スイッチ３７に出力される。そして、切替信号（第１切替信号または第２切替信号）に基づき、ディスプレイ駆動回路４５によりディスプレイ２１の表示方向が切り替えられるとともに、選択スイッチ３７によりＧＰＳアンテナ２３または２４が選択される。
【００８２】
具体的には、図１１に示すように、ＧＰＳアンテナ２３に選択される場合は、ユーザにより表示部１２０が第２表示位置Ｐｄ２からＲ３方向（反時計方向）に回動されて、表示部１２０が第１表示位置Ｐｄ１まで回動される。これにより、携帯通信端末１０１は、縦状態に保持される。このとき、フレーム１２２の内部に設けられた回動方向検出部１２０ａによって、表示部１２０のＲ３方向の回動が検出され、検出信号がＣＰＵ４１に出力される。この検出信号に基づき、ＣＰＵ４１からディスプレイ駆動回路４５および選択スイッチ３７に表示方向を第１表示方向Ｄ１とする切替信号（第１切替信号）が出力される。図１１に示すように、この切替信号（第１切替信号）に基づき、ディスプレイ駆動回路４５により、ディスプレイ２１に出力される画像情報の表示方向が第１表示方向Ｄ１に変更される。また、図１３に示すように、第１表示方向Ｄ１とする切替信号（第１切替信号）が選択スイッチ３７にも出力されることにより、ＧＰＳアンテナ２３が選択スイッチ３７を介してＧＰＳ受信回路３６と接続される。これにより、ディスプレイ２１が第１表示方向Ｄ１で表示される縦表示状態では、フレーム１２２の第１表示方向Ｄ１側に配置されたＧＰＳアンテナ２３が選択される。
【００８３】
図１６に示すように、携帯通信端末１０１が縦状態で使用される場合、ユーザにより下側本体部３０が把持されて、表示部１２０は第１表示方向Ｄ１を上方向として第１表示位置Ｐｄ１に保持される。このとき、表示部１２０は、視認性の確保のため水平方向から角度φ（約４５度）で保持される。この縦状態で選択されるＧＰＳアンテナ２３の指向性の第１受信方向Ｄａ１は、ディスプレイ２１の第１表示方向Ｄ１から角度θ（約４５度）に設定されている。このため、第１受信方向Ｄａ１は、表示部２０の水平方向に対する角度φ（約４５度）＋第１受信方向Ｄａ１の表示面２１ａに対する角度θ（約４５度）＝約９０度の略天頂方向（Ｚ１方向）を向く。
【００８４】
また、図１２に示すように、ＧＰＳアンテナ２４に選択される場合は、ユーザにより表示部１２０が第１表示位置Ｐｄ１からＲ３方向（時計方向）に回動されて、表示部１２０が第２表示位置Ｐｄ２まで回動される。これにより、携帯通信端末１０１は、横状態に保持される。このとき、フレーム１２２の内部に設けられた回動方向検出部１２０ａによって、表示部１２０のＲ３方向の回動が検出され、検出信号がＣＰＵ４１に出力される。この検出信号に基づき、ＣＰＵ４１からディスプレイ駆動回路４５および選択スイッチ３７に表示方向を第２表示方向Ｄ２とする切替信号（第２切替信号）が出力される。図１３に示すように、この切替信号（第２切替信号）に基づき、ディスプレイ駆動回路４５により、ディスプレイ２１に出力される画像情報の表示方向が第２表示方向Ｄ２に変更される。また、図１３に示すように、第２表示方向Ｄ２とする切替信号（第２切替信号）が選択スイッチ３７にも出力されることにより、ＧＰＳアンテナ２４が選択スイッチ３７を介してＧＰＳ受信回路３６と接続される。これにより、ディスプレイ２１が第２表示方向Ｄ２で表示される横表示状態では、フレーム１２２の第２表示方向Ｄ２側に配置されたＧＰＳアンテナ２４が選択される。
【００８５】
図１７に示すように、携帯通信端末１０１が横状態で使用される場合、ユーザにより下側本体部３０が把持されて、表示部１２０は第２表示方向Ｄ２を上方向として第２表示位置Ｐｄ２に保持される。このとき、表示部１２０は、視認性の確保のため水平方向から角度φ（約４５度）で保持される。この横状態で選択されるＧＰＳアンテナ２４の指向性の第２受信方向Ｄａ２は、ディスプレイ２１の第２表示方向Ｄ２から角度θ（約４５度）に設定されている。このため、第２受信方向Ｄａ２は、表示部１２０の水平方向に対する角度φ（約４５度）＋第２受信方向Ｄａ２の表示面２１ａに対する角度θ（約４５度）＝約９０度の略天頂方向（Ｚ１方向）を向く。
【００８６】
第２実施形態では、上記のように、ＣＰＵ４１を、回動方向検出部１２０ａの検出信号に基づいて、表示部１２０が第１表示位置Ｐｄ１に位置する場合にディスプレイ２１の表示方向を第１表示方向Ｄ１に切り替える切替信号（第１切替信号）を出力するとともに、表示部１２０が第２表示位置Ｐｄ２に位置する場合にディスプレイ２１の表示方向を第２表示方向Ｄ２に切り替える切替信号（第２切替信号）を出力するように構成し、第１切替信号および第２切替信号に基づいて、それぞれ、ＧＰＳアンテナ２３とＧＰＳアンテナ２４とが選択されるように構成することによって、ユーザが表示部１２０を第１表示位置Ｐｄ１または第２表示位置Ｐｄ２に回動させるだけで、回動方向検出部１２０ａと第１切替信号および第２切替信号とにより、表示方向を第１表示方向Ｄ１と第２表示方向Ｄ２とに切り替えるとともに、略天頂方向（Ｚ１方向）を向くＧＰＳアンテナ２３とＧＰＳアンテナ２４とを選択することができる。なお、第２実施形態のように構成した場合にも、第１実施形態の効果と同様の効果を得ることができる。
【００８７】
（第３実施形態）
図１８は、本発明の第３実施形態による携帯通信端末の全体構成を示した斜視図である。また、図１９および図２０は、本発明の第３実施形態による携帯通信端末の表示方向の変化を説明するための図である。また、図２１〜図２３は、本発明の第３実施形態による携帯通信端末の詳細を説明するための図である。この第３実施形態では、表示部２０の開閉方向を２つの開閉方向検出部１２ｃおよび３３ｂにより検出することにより、ディスプレイ２１の表示方向を切り替えるとともにＧＰＳアンテナ２３および２４を選択するように構成した上記第１実施形態と異なり、表示部２２０が固定的に設けられた端末本体部２１０の傾きを１つの加速度センサ２１３（図２１参照）により検出することにより、ディスプレイ２１の表示方向を切り替えるとともにＧＰＳアンテナ２３および２４を選択するように構成した例について説明する。なお、加速度センサ２１３は、本発明の「傾き検出部」の一例である。
【００８８】
この第３実施形態では、図１８に示すように、携帯通信端末１０２の端末本体部２１０は、端末本体部２１０に固定的に設けられた表示部２２０を含む。また、図２１に示すように、端末本体部２１０の内部には、端末本体部２１０の傾きを検出することにより固定的に設けられた表示部２２０の上方向を検出する加速度センサ２１３が設けられている。
【００８９】
第３実施形態では、携帯通信端末１０２は、表示部２２０が固定的に設けられた端末本体部２１０を、第１表示方向Ｄ１または第２表示方向Ｄ２を端末本体部２１０の上方向となるように把持することにより、ディスプレイ２１が縦長の縦状態と、ディスプレイ２１が横長の横状態とに切替可能に構成されている。
【００９０】
携帯通信端末１０２の端末本体部２１０は、平面的に見て長方形状の平板形状を有している。端末本体部２１０の上面には、スピーカ１１、マイク３１およびキーボード３２が設けられている。なお、これらのスピーカ１１、マイク３１およびキーボード３２の構成は第１実施形態と同様である。
【００９１】
また、端末本体部２１０の内部には、加速度センサ２１３が内蔵されている。この加速度センサ２１３は、重力加速度を含む加速度を直交する３軸（Ｘ軸、Ｙ軸およびＺ軸（図１８参照））に関して検出することができるように構成されている。この加速度センサ２１３は、重力方向（重力加速度の方向）に対する傾きから、端末本体部２１０の傾きを検出することができるように構成されている。第３実施形態では、表示部２２０が端末本体部２１０に固定的に設置されているため、この端末本体部２１０の傾きに基づいて、表示部２２０の傾きを検出することができるように構成されている。この加速度センサ２１３により検出された端末本体部２１０（表示部２２０）の傾きの検出信号は、ＣＰＵ４１に出力されるように構成されている。
【００９２】
ＣＰＵ４１は、加速度センサ２１３による傾きの検出信号に基づいて、表示部２２０の上方向がディスプレイ２１の第１表示方向Ｄ１に略一致する場合にはディスプレイ２１の表示方向を第１表示方向Ｄ１に切り替える切替信号（第１切替信号）をディスプレイ駆動回路４５に出力するとともに、表示部２２０の上方向がディスプレイ２１の第２表示方向Ｄ２に略一致する場合にはディスプレイ２１の表示方向を第２表示方向Ｄ２に切り替える切替信号（第２切替信号）をディスプレイ駆動回路４５に出力するように構成されている。この際、切替信号（第１切替信号または第２切替信号）は、選択スイッチ３７にも出力され、ディスプレイ２１の表示方向に応じてＧＰＳアンテナ２３または２４が選択されるように構成されている。
【００９３】
また、表示部２２０は、ディスプレイ２１と、ディスプレイ２１を取り囲むようにして固定するフレーム２２２とから構成されている。
【００９４】
第３実施形態では、図１８に示すように、フレーム２２２には、２つのＧＰＳアンテナ２３および２４が内蔵されている。２つのＧＰＳアンテナ２３は、フレーム２２２の第１表示方向Ｄ１の短辺側に配置されている。また、ＧＰＳアンテナ２４は、フレーム２２２の第２表示方向Ｄ２の長辺側に配置されている。これにより、図１９に示すように、携帯通信端末１０２を、表示部２２０の第１表示方向Ｄ１が上方向となるように端末本体部２１０を把持した縦状態で使用する場合には、ＧＰＳアンテナ２３が携帯通信端末１０２の先端部（上方向側）に配置されるように構成されている。また、図２０に示すように、携帯通信端末１０２を、表示部２２０の第２表示方向Ｄ２が上方向となるように端末本体部２１０を把持した横状態で使用する場合には、ＧＰＳアンテナ２４が携帯通信端末１０２の先端部（上方向側）に配置されるように構成されている。
【００９５】
なお、携帯通信端末１０２のその他の構成は、上記第１実施形態と同様である。
【００９６】
次に、図１９〜図２３を参照して、本発明の第３実施形態によるＧＰＳアンテナ２３および２４の選択動作について説明する。
【００９７】
第３実施形態では、図２１に示すように、加速度センサ２１３から出力される端末本体部２１０の傾きの検出信号に基づき、ＣＰＵ４１から表示方向の切替信号（第１切替信号または第２切替信号）がディスプレイ駆動回路４５および選択スイッチ３７に出力される。そして、切替信号（第１切替信号または第２切替信号）に基づき、ディスプレイ駆動回路４５によりディスプレイ２１の表示方向が切り替えられるとともに、選択スイッチ３７によりＧＰＳアンテナ２３または２４が選択される。
【００９８】
具体的には、図１９に示すように、ＧＰＳアンテナ２３が選択される場合は、ユーザにより端末本体部２１０のＹ１方向側が把持されて、表示部２２０が第１表示方向Ｄ１を上方向とした縦向きに保持される。これにより、携帯通信端末１０２は、縦状態に保持される。このとき、端末本体部２１０の内部に設けられた加速度センサ２１３によって、端末本体部２１０（表示部２２０）の上方向（第１表示方向Ｄ１）が検出され、検出信号がＣＰＵ４１に出力される。この検出信号に基づき、ＣＰＵ４１からディスプレイ駆動回路４５および選択スイッチ３７に表示方向を第１表示方向Ｄ１とする切替信号（第１切替信号）が出力される。図１９に示すように、この切替信号（第１切替信号）に基づき、ディスプレイ駆動回路４５により、ディスプレイ２１に出力される画像情報の表示方向が第１表示方向Ｄ１に変更される。また、図２１に示すように、第１表示方向Ｄ１とする切替信号（第１切替信号）が選択スイッチ３７にも出力されることにより、ＧＰＳアンテナ２３が選択スイッチ３７を介してＧＰＳ受信回路３６と接続される。これにより、ディスプレイ２１が第１表示方向Ｄ１で表示される縦表示状態では、フレーム２２２の第１表示方向Ｄ１側に配置されたＧＰＳアンテナ２３が選択される。
【００９９】
図２２に示すように、携帯通信端末１０２が縦状態で使用される場合、ユーザにより端末本体部２１０が把持されて、表示部２２０が第１表示方向Ｄ１を上方向となるように保持される。このとき、表示部２２０は、視認性の確保のため水平方向から角度φ（約４５度）で保持される。この縦状態で選択されるＧＰＳアンテナ２３の指向性の第１受信方向Ｄａ１は、ディスプレイ２１の第１表示方向Ｄ１から角度θ（約４５度）に設定されている。このため、第１受信方向Ｄａ１は、表示部２０の水平方向に対する角度φ（約４５度）＋第１受信方向Ｄａ１の表示面２１ａに対する角度θ（約４５度）＝約９０度の略天頂方向（Ｚ１方向）を向く。
【０１００】
また、図２０に示すように、ＧＰＳアンテナ２４が選択される場合は、ユーザにより端末本体部２１０が横向きに把持されて、表示部２２０が第２表示方向Ｄ２を上方向とした横向きに保持される。これにより、携帯通信端末１０２は、横状態に保持される。このとき、端末本体部２１０の内部に設けられた加速度センサ２１３によって、端末本体部２１０（表示部２２０）の上方向（第２表示方向Ｄ２）が検出され、検出信号がＣＰＵ４１に出力される。この検出信号に基づき、ＣＰＵ４１からディスプレイ駆動回路４５および選択スイッチ３７に表示方向を第２表示方向Ｄ２とする切替信号（第２切替信号）が出力される。図２１に示すように、この切替信号（第２切替信号）に基づき、ディスプレイ駆動回路４５により、ディスプレイ２１に出力される画像情報の表示方向が第２表示方向Ｄ２に変更される。また、図２１に示すように、第２表示方向Ｄ２とする切替信号（第２切替信号）が選択スイッチ３７にも出力されることにより、ＧＰＳアンテナ２４が選択スイッチ３７を介してＧＰＳ受信回路３６と接続される。これにより、ディスプレイ２１が第２表示方向Ｄ２で表示される横表示状態では、フレーム２２２の第２表示方向Ｄ２側に配置されたＧＰＳアンテナ２４が選択される。
【０１０１】
図２３に示すように、携帯通信端末１０２が横状態で使用される場合、ユーザにより端末本体部２１０が把持されて、表示部２２０は第２表示方向Ｄ２を上方向として保持される。このとき、表示部２２０は、視認性の確保のため水平方向から角度φ（約４５度）で保持される。この横状態で選択されるＧＰＳアンテナ２４の指向性の第２受信方向Ｄａ２は、ディスプレイ２１の第２表示方向Ｄ２から角度θ（約４５度）に設定されている。このため、第２受信方向Ｄａ２は、表示部２２０の水平方向に対する角度φ（約４５度）＋第２受信方向Ｄａ２の表示面２１ａに対する角度θ（約４５度）＝約９０度の略天頂方向を向く。
【０１０２】
第３実施形態では、上記のように、ＣＰＵ４１は、加速度センサ２１３の検出信号に基づいて、表示部２２０の上方向がディスプレイ２１の第１表示方向Ｄ１に略一致する場合にはディスプレイ２１の表示方向を第１表示方向Ｄ１に切り替える切替信号（第１切替信号）を出力するとともに、表示部２２０の上方向がディスプレイ２１の第２表示方向Ｄ２に略一致する場合にはディスプレイ２１の表示方向を第２表示方向Ｄ２に切り替える切替信号（第２切替信号）を出力するように構成し、第１切替信号および第２切替信号に基づいて、それぞれ、ＧＰＳアンテナ２３とＧＰＳアンテナ２４とが選択されるように構成することによって、ユーザが端末本体部２１０の向きを縦横に変更することにより表示部２２０の向きを変更するだけで、加速度センサ２１３と第１切替信号および第２切替信号とにより、表示方向を切り替えるとともに、略天頂方向を向くＧＰＳアンテナ２３または２４を選択することができる。なお、第３実施形態においても、２つのＧＰＳアンテナを用いて表示部２２０の向きを第１表示方向Ｄ１または第２表示方向Ｄ２のいずれの方向に変更して使用する場合にも、常にＧＰＳアンテナ（ＧＰＳアンテナ２３および２４）の指向性を略天頂方向（Ｚ１方向）に向けることができる第１実施形態の効果は、同様に得ることが可能である。
【０１０３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【０１０４】
たとえば、上記第１〜第３実施形態では、携帯端末の一例としての携帯通信端末１００（１０１、１０２）に本発明を適用した例を示したが、本発明はこれに限らず、携帯電話機としての通信機能のない携帯ＧＰＳ端末、携帯情報端末（ＰＤＡ）および携帯ゲーム機など、携帯通信端末以外の携帯端末にも広く適用可能である。すなわち、端末本体部と、表示部と、衛星電波受信アンテナとを備えた携帯端末であれば本発明を適用することができる。
【０１０５】
また、上記第１〜第３実施形態では、２つのＧＰＳアンテナ２３および２４の指向性を、携帯通信端末１００が縦向きで使用される縦状態と、携帯通信端末１００が横向きで使用される横状態とのいずれの状態にある場合においても、略天頂方向（鉛直上方（Ｚ１方向））を向くように構成した例を示したが、本発明はこれに限らず、２つの衛星電波受信アンテナの指向性を、縦向きおよび横向き以外の向きで使用される場合に略天頂方向（Ｚ１方向）を向くように構成してもよい。また、衛星電波受信アンテナを３つ以上備え、第１表示方向および第２表示方向以外の方向を端末本体部の上方向とした場合にも、衛星電波受信アンテナの指向性が略天頂方向（Ｚ１方向）を向くように構成してもよい。
【０１０６】
また、上記第１〜第３実施形態では、衛星電波受信アンテナの一例としてＧＰＳアンテナ２３および２４に本発明を適用した例を示したが、本発明はこれに限らず、ＧＰＳによる測位用電波を受信するアンテナ以外の衛星電波を受信するアンテナを用いてもよい。
【０１０７】
また、上記第１〜第３実施形態では、ＧＰＳアンテナ２３および２４を、表示部２０（ディスプレイ２１）の表示面２１ａに対して第１表示方向Ｄ１または第２表示方向Ｄ２から、約４５度の角度θを有するように固定的に設置されている例を示したが、本発明はこれに限らず、衛星電波受信アンテナは、約４５度以外の角度θで設置されるように構成してもよい。衛星電波受信アンテナの所定の角度は、３０度以上６０度以下の範囲で設定されればよく、携帯端末のユーザが表示部を見ながら使用する場合に角度φだけ傾けた状態で、衛星電波受信アンテナの指向性が略天頂方向（Ｚ１方向）を向くように構成すればよい。
【０１０８】
また、上記第１実施形態では、平面的に見て長方形状を有する表示部２０が、上側本体部１０に開閉可能に取り付けられた例を示したが、本発明はこれに限らず、表示部は平面的に見て長方形状に形成されている必要はなく、長方形状以外の円形、楕円形および正方形などの形状を有するように構成されていてもよい。
【０１０９】
また、上記第１実施形態では、表示部２０を、軸部３３ａと軸部１２ａとによりＲ１方向とＲ２方向とに回動可能に構成することにより、縦状態（第１表示位置Ｐｄ１）と横状態（第２表示位置Ｐｄ２）との２通りに開閉可能に構成した例を示したが、本発明はこれに限らず、表示部はＲ１方向およびＲ２方向とは異なる方向に回動するように構成してもよい。
【０１１０】
また、上記第２実施形態では、表示部１２０を、軸部１１２ａによりＲ３方向に回動可能に構成することにより、縦状態（第１表示位置）から時計方向（Ｒ３方向）に約９０度回動して横状態（第２表示位置）になるように構成した例を示したが、本発明はこれに限らず、表示部は反時計方向に回動して横状態となるように構成してもよい。また、表示部を、９０度以上回動するように構成してもよい。
【０１１１】
また、上記第２実施形態では、表示部１２０を、平面的に見て中心の位置で軸部１１２ａと連結され、表示面２１ａと同一面内で回動可能に構成した例を示したが、本発明はこれに限らず、表示部は平面的に見て中心の位置で回動可能に構成する必要はない。表示部は、平面的に見て角部近傍など、平面的に見て表示部の中心以外の位置で回動可能に構成されてもよい。
【０１１２】
また、上記第１実施形態では、開閉方向検出部３３ｂはリードスイッチを有するとともに、連結部１２の軸部３３ａの近傍にはリードスイッチを動作させるための図示しない磁石が設けられている例を示したが、本発明はこれに限らず、回動検出部は、リードスイッチおよび磁石以外にも、機械式のスイッチや、近接センサなどが用いられてもよい。回動検出部は、軸部による表示部の回動を検出可能であればどのようなスイッチおよびセンサを用いてもよい。
【０１１３】
また、上記第３実施形態では、端末本体部２１０の内部に加速度センサ２１３を設けるとともに、端末本体部２１０の傾きを検出することができるように構成されている例を示したが、本発明はこれに限らず、傾き検出部は、加速度センサ以外にも、ジャイロセンサなどを用いてもよい。傾き検出部は、端末本体部（表示部）の傾きを検出可能であればどのようなセンサを用いてもよい。
【０１１４】
また、上記第１〜第３実施形態では、ＧＰＳアンテナ２３および２４を、表示部２０のフレーム２２に内蔵した例を示したが、本発明はこれに限らず、第１衛星電波受信アンテナおよび第２衛星電波受信アンテナをフレームの表面に露出するように設けてもよく、フレーム表面上に配置してもよい。また、第１衛星電波受信アンテナおよび第２衛星電波受信アンテナを表示部のフレームに設けなくてもよい。第１衛星電波受信アンテナおよび第２衛星電波受信アンテナは、表示部に設けられていればよい。
【０１１５】
また、上記第１および第２実施形態では、携帯通信端末１００（１０１）を、表示部２０（１２０）を開閉（回動）させることにより縦向きにも横向きにも使用可能に構成した例を示したが、本発明はこれに限らず、携帯端末は、縦向きと横向き以外の向きで使用するように構成してもよい。
【０１１６】
また、上記第１〜第３実施形態では、ＧＰＳアンテナ２３および２４を、それぞれ、アンテナ表面２３ａおよび２４ａに対して上方（Ｄａ１方向およびＤａ２方向）に単一指向性を有するとともに、円偏波特性を有するように構成した例を示したが、本発明はこれに限らず、ＧＰＳアンテナは、円偏波特性以外にも、直線偏波特性を有するように構成してもよい。
【図面の簡単な説明】
【０１１７】
【図１】本発明の第１実施形態による携帯通信端末を縦向きに使用する場合の全体構成を示す斜視図である。
【図２】本発明の第１実施形態による携帯通信端末を縦向きに使用する場合の平面図である。
【図３】本発明の第１実施形態による携帯通信端末を折り畳んだ状態を示す平面図である。
【図４】本発明の第１実施形態による携帯通信端末を横向きに使用する場合の平面図である。
【図５】本発明の第１実施形態による携帯通信端末を横向きに使用する場合の側面図である。
【図６】本発明の第１実施形態による携帯通信端末の構成を示すブロック図である。
【図７】図１に示した第１実施形態による携帯通信端末を縦向きに使用する場合のＧＰＳアンテナの配置を模式的に示す縦方向断面図である。
【図８】図１に示した第１実施形態による携帯通信端末を横向きに使用する場合のＧＰＳアンテナの配置を模式的に示す縦方向断面図である。
【図９】本発明の第１実施形態による携帯通信端末の表示部を縦向きに使用する場合のＧＰＳアンテナの指向性の方向を説明するための模式図である。
【図１０】本発明の第１実施形態による携帯通信端末の表示部を横向きに使用する場合のＧＰＳアンテナの指向性の方向を説明するための模式図である。
【図１１】本発明の第２実施形態による携帯通信端末を縦向きに使用する場合の全体構成を示す斜視図である。
【図１２】図１１の第２実施形態による携帯通信端末の表示部を横向きにした場合の平面図である。
【図１３】本発明の第２実施形態による携帯通信端末の構成を示すブロック図である。
【図１４】図１１に示した第２実施形態による携帯通信端末の表示部を縦向きに使用する場合のＧＰＳアンテナの配置を模式的に示す縦方向断面図である。
【図１５】図１１に示した第２実施形態による携帯通信端末の表示部を横向きに使用する場合のＧＰＳアンテナの配置を模式的に示す縦方向断面図である。
【図１６】本発明の第２実施形態による携帯通信端末の表示部を縦向きに使用する場合のＧＰＳアンテナの指向性の方向を説明するための模式図である。
【図１７】本発明の第２実施形態による携帯通信端末の表示部を横向きに使用する場合のＧＰＳアンテナの指向性の方向を説明するための模式図である。
【図１８】本発明の第３実施形態による携帯通信端末を縦向きに使用する場合の全体構成を示す斜視図である。
【図１９】図１９の第３実施形態による携帯通信端末の表示部を縦向きにした場合の平面図である。
【図２０】図１９の第３実施形態による携帯通信端末の表示部を横向きにした場合の平面図である。
【図２１】本発明の第３実施形態による携帯通信端末の構成を示すブロック図である。
【図２２】本発明の第３実施形態による携帯通信端末の表示部を縦向きに使用する場合のＧＰＳアンテナの指向性の方向を説明するための模式図である。
【図２３】本発明の第３実施形態による携帯通信端末の表示部を横向きに使用する場合のＧＰＳアンテナの指向性の方向を説明するための模式図である。
【符号の説明】
【０１１８】
１０、１１０  上側本体部（端末本体部）
１２ａ、３３ａ、１１２ａ  軸部
１２ｃ、３３ｂ  開閉方向検出部（回動検出部）
２０、１２０、２２０  表示部
２１  ディスプレイ（表示画面部）
２１ａ  表示面
２３  ＧＰＳアンテナ（第１衛星電波受信アンテナ）
２４  ＧＰＳアンテナ（第２衛星電波受信アンテナ）
３０  下側本体部（端末本体部）
４１  ＣＰＵ（制御部）
１００、１０１、１０２  携帯通信端末（携帯端末）
１２０ａ  回動方向検出部（回動検出部）
２１０  端末本体部
２１３  加速度センサ（傾き検出部）
【図１】
2010109522.tif 000003
【図２】
2010109522.tif 000004
【図３】
2010109522.tif 000005
【図４】
2010109522.tif 000006
【図５】
2010109522.tif 000007
【図６】
2010109522.tif 000008
【図７】
2010109522.tif 000009
【図８】
2010109522.tif 000010
【図９】
2010109522.tif 000011
【図１０】
2010109522.tif 000012
【図１１】
2010109522.tif 000013
【図１２】
2010109522.tif 000014
【図１３】
2010109522.tif 000015
【図１４】
2010109522.tif 000016
【図１５】
2010109522.tif 000017
【図１６】
2010109522.tif 000018
【図１７】
2010109522.tif 000019
【図１８】
2010109522.tif 000020
【図１９】
2010109522.tif 000021
【図２０】
2010109522.tif 000022
【図２１】
2010109522.tif 000023
【図２２】
2010109522.tif 000024
【図２３】
2010109522.tif 000025